(57)【要約】【課題】背もたれカバーを背もたれ本体側に押し付ける力を生じさせる。【解決手段】背もたれカバー４を背もたれ本体３に押し付ける押し付け機構５と、背もたれカバー４を背もたれ本体３に固定する固定機構６を備えている。押し付け機構５は、傾斜係止片７と、傾斜係止片７が挿入される引き寄せ部８とを有している。固定機構６は、被固定部９と、傾斜係止片７を引き寄せ部８に挿入する方向から被固定部９に固定される固定部１０とを有している。固定部１０を被固定部９に固定する際、傾斜係止片７が引き寄せ部８に対してより深く挿入されることで背もたれカバー４を引き寄せ部８が引き寄せ、背もたれカバー４が背もたれ本体３に押し付けられる。この背もたれカバー取付構造は、例えば患者用椅子に適用される。【選択図】図２
2007014454.tif 000002
【特許請求の範囲】
【請求項１】
椅子の背もたれ本体の裏面に背もたれカバーを取り付ける椅子の背もたれカバー取付構造において、前記背もたれカバーを前記背もたれ本体に押し付ける押し付け機構と、前記背もたれカバーを前記背もたれ本体に押し付けた状態で固定する固定機構を備え、前記押し付け機構は、前記背もたれ本体と前記背もたれカバーとのいずれか一方に設けられ、先端が開くように傾斜する傾斜係止片と、前記背もたれ本体と前記背もたれカバーとのいずれか他方に設けられ、前記傾斜係止片が挿入される引き寄せ部とを有し、前記固定機構は、前記背もたれ本体と前記背もたれカバーとのいずれか一方に設けられた被固定部と、前記背もたれ本体と前記背もたれカバーとのいずれか他方に設けられ、前記傾斜係止片を前記引き寄せ部に挿入する方向から前記被固定部に固定される固定部とを有し、前記固定部を前記被固定部に固定する際、前記傾斜係止片が前記引き寄せ部に対してより深く挿入されることで前記傾斜係止片が設けられている背もたれ本体又は背もたれカバーを前記引き寄せ部が引き寄せて前記背もたれカバーが前記背もたれ本体に押し付けられることを特徴とする椅子の背もたれカバー取付構造。
【請求項２】
前記被固定部はねじ孔が設けられたブラケットであり、前記固定部は貫通孔が設けられたブラケットであり、前記貫通孔を通して前記ねじ孔にねじを挿入し締め付けることで、前記ねじを前進させて前記固定部を前記被固定部に向けて移動させることを特徴とする請求項１記載の椅子の背もたれカバー取付構造。
【請求項３】
請求項１又は２記載の椅子の背もたれカバー取付構造によって背もたれカバーを背もたれ本体に取り付けることを特徴とする患者用椅子。
【請求項４】
座の両脇に設けられ、利用者が座ったり立ち上がる際に手を着くことができる左右一対の支え補助部材と、伸縮して前記座の高さを変化させる高さ調整機構と、前記高さ調整機構の伸縮を操作する操作レバーを備え、前記支え補助部材は支柱とこの支柱の上端に設けられた掴み部とを有し、前記操作レバーは前記支え補助部材のいずれか一方の支柱の外側面に取り付けられていることを特徴とする請求項３記載の患者用椅子。
【発明の詳細な説明】
【技術分野】
【０００１】
本発明は、背もたれカバーの取付構造およびこれを適用した患者用椅子に関するものである。
【背景技術】
【０００２】
椅子の背もたれカバー取付構造として、例えば実開昭５９−１４１８５０号（実願昭５８−３７０７７号）公報に開示されたものがある。この背もたれカバー取付構造を図１０〜図１２に示す。背もたれは、支持枠１０１と、支持枠１０１の前面に取り付けられたクッション体１０２と、支持枠１０１の裏面に取り付けられた背もたれカバー１０３より構成されている。支持枠１０１には長孔１０４を有する連結フレーム１０５が取り付けられている。また、支持枠１０１の下部１０１ａには孔１０６が設けられている。背もたれカバー１０３には、爪状の係合片１０７と、雌ねじ１０８が形成された連結片１０９が取り付けられている。この背もたれカバー取付構造では、背もたれカバー１０３の係合片１０７を支持枠１０１の長孔１０４に上から挿入し、連結片１０９の雌ねじ１０８を支持枠１０１の下部１０１ａの上側に差し入れて雌ねじ１０８と孔１０６を対向させた後、ねじ１１０を下から孔１０６に挿入して雌ねじ１０８にねじ込むことで背もたれカバー１０３を支持枠１０１に取り付けている。爪状の係合片１０７は下向きに形成され、途中から折り曲げられて傾斜部１０７ａを構成している。傾斜部１０７ａを設けることで係合片１０７の先端が開くことになり、長孔１０４内への挿入が容易になる。
【０００３】
また、クッション体１０２はねじ１１１によって支持枠１０１の連結フレーム１０５と連結フレーム１１２に取り付けられている。
【０００４】
【特許文献１】実開昭５９−１４１８５０号
【発明の開示】
【発明が解決しようとする課題】
【０００５】
しかしながら、上述の背もたれカバー取付構造では、係合片１０７を連結フレーム１０５の長孔１０４に挿入し、連結片１０９の雌ねじ１０８と支持枠１０１の孔１０６とを対向させてねじ止めするので、背もたれカバー１０３を支持枠１０１にぴったりと重ね合わさなければ背もたれカバー１０３を取り付けることができなかった。特に、例えば支持枠１０１と背もたれカバー１０３との間に表皮部材やクッション体の周縁を挟み込む場合等には、背もたれカバー１０３を支持枠１０１側に強く押し付けなければ係合片１０７を長孔１０４内に挿入したり雌ねじ１０８を孔１０６に対向させることができず、作業に大きな力が必要になって作業性に劣っていた。
【０００６】
本発明は、背もたれカバーを背もたれ本体に押し付けながら取り付けることができる椅子の背もたれカバー取付構造と、この取付構造を適用した患者用椅子を提供することを目的とする。
【課題を解決するための手段】
【０００７】
かかる目的を達成するために請求項１記載の発明は、椅子の背もたれ本体の裏面に背もたれカバーを取り付ける椅子の背もたれカバー取付構造において、背もたれカバーを背もたれ本体に押し付ける押し付け機構と、背もたれカバーを背もたれ本体に押し付けた状態で固定する固定機構を備え、押し付け機構は、背もたれ本体と背もたれカバーとのいずれか一方に設けられ、先端が開くように傾斜する傾斜係止片と、背もたれ本体と背もたれカバーとのいずれか他方に設けられ、傾斜係止片が挿入される引き寄せ部とを有し、固定機構は、背もたれ本体と背もたれカバーとのいずれか一方に設けられた被固定部と、背もたれ本体と背もたれカバーとのいずれか他方に設けられ、傾斜係止片を引き寄せ部に挿入する方向から被固定部に固定される固定部とを有し、固定部を被固定部に固定する際、傾斜係止片が引き寄せ部に対してより深く挿入されることで傾斜係止片が設けられている背もたれ本体又は背もたれカバーを引き寄せ部が引き寄せて背もたれカバーが背もたれ本体に押し付けられるものである。
【０００８】
したがって、傾斜係止片の先端を引き寄せ部に挿入し、固定部を被固定部に固定すると背もたれカバーが背もたれ本体の裏面に取り付けられる。傾斜係止片の先端は根元よりも開いており、傾斜係止片が設けられている背もたれカバー又は背もたれ本体との間の間隔は先端の方が広くなっているので、傾斜係止片の先端を引き寄せ部に挿入するのは容易である。固定部を被固定部に固定する際、傾斜係止片を引き寄せ部に挿入する方向から固定部を被固定部に近づけるので、固定部を被固定部に近づけると、傾斜係止片が引き寄せ部により深く挿入される。傾斜係止片は傾斜しており、傾斜係止片が設けられている背もたれカバー又は背もたれ本体との間の間隔は根元の方が狭くなっているので、傾斜係止片がより深く挿入されると、傾斜係止片が設けられている背もたれ本体又は背もたれカバーが引き寄せ部に引き寄せられ、背もたれカバーが背もたれ本体側に移動する。そして、固定部を被固定部に固定すると、引き寄せ部に対して傾斜係止片が所定位置まで挿入され、背もたれカバーは背もたれ本体に所定の力で押し付けられる。
【０００９】
また、請求項２記載の椅子の背もたれカバー取付構造は、被固定部はねじ孔が設けられたブラケットであり、固定部は貫通孔が設けられたブラケットであり、貫通孔を通してねじ孔にねじを挿入し締め付けることで、ねじを前進させて固定部を被固定部に向けて移動させるものである。
【００１０】
したがって、ねじを締め付けて（ねじ込んで）前進させると、固定部が被固定部に向けて移動し、これに伴い傾斜係止片が引き寄せ部に対してより深く挿入される。これにより傾斜係止片が設けられている背もたれ本体又は背もたれカバーが引き寄せ部に引き寄せられ、背もたれカバーが背もたれ本体側に移動する。そして、ねじの締め付けが完了すると、固定部が被固定部に固定されると共に、引き寄せ部に対して傾斜係止片が所定位置まで挿入されることになり、背もたれカバーは背もたれ本体に所定の力で押し付けられる。
【００１１】
また、請求項３記載の患者用椅子は、請求項１又は２記載の椅子の背もたれカバー取付構造によって背もたれカバーを背もたれ本体に取り付けるものである。したがって、請求項１又は２の椅子の背もたれカバー取付構造によって背もたれカバーを取り付けた患者用椅子が提供される。
【００１２】
さらに、請求項４記載の患者用椅子は、座の両脇に設けられ、利用者が座ったり立ち上がる際に手を着くことができる左右一対の支え補助部材と、伸縮して座の高さを変化させる高さ調整機構と、高さ調整機構の伸縮を操作する操作レバーを備え、支え補助部材は支柱とこの支柱の上端に設けられた掴み部とを有し、操作レバーを支え補助部材のいずれか一方の支柱の外側面に取り付けるようにしている。
【００１３】
したがって、椅子の利用者は支え補助部材に両手をついて体を支えながら座ったり立ち上がったりすることができる。また、介護者が椅子の後側に立って両手で左右の支え補助部材を掴みながら操作レバーを操作することができる。さらに、操作レバーを支柱の外側面に設けているので、着座者の体が当たることがない。
【発明の効果】
【００１４】
請求項１記載の椅子の背もたれカバー取付構造では、背もたれカバーを背もたれ本体に押し付ける押し付け機構と、背もたれカバーを背もたれ本体に押し付けた状態で固定する固定機構を備え、押し付け機構は、背もたれ本体と背もたれカバーとのいずれか一方に設けられ、先端が開くように傾斜する傾斜係止片と、背もたれ本体と背もたれカバーとのいずれか他方に設けられ、傾斜係止片が挿入される引き寄せ部とを有し、固定機構は、背もたれ本体と背もたれカバーとのいずれか一方に設けられた被固定部と、背もたれ本体と背もたれカバーとのいずれか他方に設けられ、傾斜係止片を引き寄せ部に挿入する方向から被固定部に固定される固定部とを有し、固定部を被固定部に固定する際、傾斜係止片が引き寄せ部に対してより深く挿入されることで傾斜係止片が設けられている背もたれ本体又は背もたれカバーを引き寄せ部が引き寄せて背もたれカバーが背もたれ本体に押し付けられるので、背もたれカバーの取り付けが容易である。また、背もたれカバーは背もたれ本体に押し付けらた状態で取り付けられているので、背もたれカバーのがた付きを抑えることができる。背もたれ本体の裏面には表皮部材やクッション体の周縁を回り込ませることがあり、表皮部材やクッション体の周縁を挟み込んだ状態で背もたれカバーを背もたれ本体に押し付けるのには大きな力が必要である。即ち、背もたれ本体に背もたれカバーを取り付ける作業は表皮部材やクッション体の周縁を挟み込みながらの作業になるので、背もたれカバーを強く背もたれ本体側に押し付ける必要があり、大きな力が必要となって重労働である。本発明では、引き寄せ部に対して摺動する傾斜係止片がくさびのように作用するので、くさび（傾斜係止片）をより深く挿入すると背もたれカバーを背もたれ本体側に移動させる力が発生する。このため、表皮部材やクッション体の周縁を挟み込んだ状態で背もたれカバーを背もたれ本体にしっかりと押し付けることができる。特に表皮部材として革製のものを使用すると表皮部材の挟み込みに大きな力が必要になるが、上述したくさびの作用によって革製の表皮部材であってもしっかりと挟み込んだ状態で背もたれカバーを背に押さえ付けることができる。
【００１５】
また、請求項２記載の椅子の背もたれカバー取付構造では、被固定部はねじ孔が設けられたブラケットであり、固定部は貫通孔が設けられたブラケットであり、貫通孔を通してねじ孔にねじを挿入し締め付けることで、ねじを前進させて固定部を被固定部に向けて移動させるようにしているので、ねじの締め付けによって固定部を被固定部に固定することができると共に、背もたれカバーを背もたれ本体に押し付ける力を発生させることができる。即ち、ねじを締め付けるという１つの動作で、固定部の被固定部への固定と背もたれカバーの背もたれ本体への押し付けとの両方を同時に行うことができる。背もたれカバーを取り付ける作業はねじを回す作業であるので、背もたれカバーを背もたれ本体に向けて直接押し付ける場合に比べて作業に必要な力が小さくてすみ、作業が容易である。しかも、背もたれカバーからの入力によってねじが逆回転することはないので、この点からも作業が容易である。さらに、クッション体の交換等のために背もたれカバーを取り外そうとするとき、この背もたれカバーがねじを利用して取り付けられているので、取り外しが簡単にできる。また、背もたれカバーが爪のはめ込みのみを利用して取り付けられているような場合には、背もたれカバーを無理に外そうとすると、爪が破損する虞があるが、本発明ではねじを利用しているので、取り外しの際の固定部の破損を防止することができる。
【００１６】
また、請求項３記載の患者用椅子では、請求項１又は２記載の椅子の背もたれカバー取付構造によって背もたれカバーを背もたれ本体に取り付けるようにしているので、請求項１又は２記載の椅子の背もたれカバー取付構造によって背もたれカバーを背もたれ本体に取り付けた患者用椅子を提供することができる。
【００１７】
さらに、請求項４記載の患者用椅子では、座の両脇に設けられ、利用者が座ったり立ち上がる際に手を着くことができる左右一対の支え補助部材と、伸縮して座の高さを変化させる高さ調整機構と、高さ調整機構の伸縮を操作する操作レバーを備え、支え補助部材は支柱とこの支柱の上端に設けられた掴み部とを有し、操作レバーは支え補助部材のいずれか一方の支柱の外側面に取り付けられているので、椅子の利用者が支え補助部材に両手をついて体を支えながら座ったり立ち上がったりすることができる。このため、座ったり立ち上がったりするのが健常者のようにスムーズにできない者や座ったり立ち上がったりする際に他人の介護が必要な者の使用に大変便利である。また、介護者が椅子の後側に立って両手で左右の支え補助部材を掴みながら操作レバーを操作することができるので、介護が必要な人が座ろうとするときに、介護者が座る人の体格に合わせて座の高さ調整を行うことができる。また、介護者は腰を深く屈めることなく操作レバーを操作することができるので、楽な姿勢で高さ調整することができる。さらに、操作レバーを支柱の外側面に設けているので、着座者の邪魔になったり、着座者の体が当たって誤操作されることがなく、また、介護者が操作しやすい配置となっている。これらのため、患者用椅子の使い勝手を向上させることができる。
【発明を実施するための最良の形態】
【００１８】
以下、本発明の構成を図面に示す最良の形態に基づいて詳細に説明する。
【００１９】
図１〜図８に、本発明の椅子の背もたれカバー取付構造の実施形態の一例を示す。本実施形態では、椅子の背もたれカバー取付構造（以下、単に背もたれカバー取付構造という）を例えば患者用椅子１に適用している。ここで、患者用椅子１とは、背もたれ２の高さが着座者の腰部の高さまでしかない椅子をいい、例えば医師が患者を診察する場合に診察中の患者を座らせるのに適したものをいう。ただし、本発明の背もたれカバー取付構造が適用できる椅子は患者用椅子１に限るものではなく、背もたれ本体３の裏面に背もたれカバー４を取り付ける椅子であれば適用することができる。
【００２０】
背もたれカバー取付構造は、椅子の背もたれ本体３の裏面に背もたれカバー４を取り付けるものであって、背もたれカバー４を背もたれ本体３に押し付ける押し付け機構５と、背もたれカバー４を背もたれ本体３に押し付けた状態で固定する固定機構６を備え、押し付け機構５は、背もたれ本体３と背もたれカバー４とのいずれか一方に設けられ、先端７ａが開くように傾斜する傾斜係止片７と、背もたれ本体３と背もたれカバー４とのいずれか他方に設けられ、傾斜係止片７が挿入される引き寄せ部８とを有し、固定機構６は、背もたれ本体３と背もたれカバー４とのいずれか一方に設けられた被固定部９と、背もたれ本体３と背もたれカバー４とのいずれか他方に設けられ、傾斜係止片７を引き寄せ部８に挿入する方向から被固定部９に固定される固定部１０とを有し、固定部１０を被固定部９に固定する際、傾斜係止片７が引き寄せ部８に対してより深く挿入されることで傾斜係止片７が設けられている背もたれ本体３又は背もたれカバー４を引き寄せ部８が引き寄せて背もたれカバー４を背もたれ本体３に押し付けるものである。
【００２１】
背もたれ本体３は、背板１１と、背板１１の前面に一体成形したクッション材１２と、クッション材１２の表面を覆う図示しない表皮部材より構成されている。背板１１は、２本の背支桿１３の上端に固着された背ブラケット１４に例えば図示しないねじによって取り付けられている。
【００２２】
押し付け機構５と固定機構６は、背もたれ本体３と背もたれカバー４との間、即ち背もたれカバー４の取り付けによって隠れる位置に設けられている。押し付け機構５の傾斜係止片７は、例えば背もたれカバー４の内側面に取り付けられた板材で、下側半部７ｂが背もたれカバー４に取り付けられており、上側半部７ｃが斜め上方に伸びている。本実施形態では、傾斜係止片７の上側半部７ｃは全長に亘り傾斜しているが、少なくとも引き寄せ部８に摺動する範囲で傾斜していれば良い。逆に、引き寄せ部８に摺動する範囲では傾斜させておく必要がある。また、本実施形態では、傾斜係止片７の上側半部７ｃはねじ孔１５及びねじ１７の軸方向に対して傾斜している。傾斜係止片７は、背もたれカバー４の例えば左右上部の２箇所に取り付けられている。押し付け機構５の引き寄せ部８は、例えば背もたれ本体３の背板１１の裏面に取り付けられた板材で、左右両端部８ａ，８ａが背板１１に取り付けられており、その中央部８ｂが背板１１から離れている。引き寄せ部８は、傾斜係止片７に対向する２箇所に取り付けられている。
【００２３】
固定機構６の被固定部９はねじ孔１５が設けられたブラケットであり、固定部１０は貫通孔１６が設けられたブラケットである。また、固定機構６はねじ１７を備えており、貫通孔１６を通してねじ孔１５にねじ１７を挿入し締め付けることで、ねじ１７を前進させて固定部１０を被固定部９に向けて移動させるようにしている。本実施形態では、押し付け機構５を背もたれ本体３及び背もたれカバー４の左右上部の２箇所に設けているので、固定機構６を背もたれ本体３及び背もたれカバー４の下部中央に設け、３点取付構造となっている。このため、被固定部９となるブラケットを背支桿１３の上端に固着された背ブラケット１４で兼用している。即ち、被固定部９は背板１１に取り付けられている。背ブラケット１４の２本の背支桿１３の間には背板１１に対してほぼ垂直に突出する垂直板１４ａが設けられており、この垂直板１４ａの中央にねじ孔１５が設けられている。
【００２４】
固定部１０となるブラケットは、背もたれカバー４の被固定部９に対向する位置に取り付けられている。固定部１０となるブラケットは背もたれカバー４に対してほぼ垂直に突出する垂直板１０ａが設けられており、この垂直板１０ａに貫通孔１６が形成されている。
【００２５】
次に、背もたれカバー４の取り付けについて説明する。背もたれカバー４は、背もたれ本体３を背支桿１３の背ブラケット１４に取り付けた後で背板１１に取り付けられる。背もたれ本体３を背支桿１３に取り付けた後、図１に示すように、傾斜係止片７の先端７ａを引き寄せ部８に下から挿入し、被固定部９に固定部１０を対向させてねじ孔１５に貫通孔１６を合わせる。傾斜係止片７の先端７ａは根元よりも開いており、背もたれカバー４と傾斜係止片７との間隔は先端７ａの方が広くなっているので、傾斜係止片７の先端７ａを引き寄せ部８に挿入するのは容易である。
【００２６】
そして、ねじ１７を下から貫通孔１６に通してねじ孔１５に挿入し、締め付ける。締め付けによってねじ１７が前進し、固定部１０を被固定部９に近づける。本実施形態では、ねじ１７を下から締め付けるので、固定部１０は被固定部９に下から近づく。即ち、傾斜係止片７を引き寄せ部８に挿入する方向から固定部１０を被固定部９に近づける。これに伴い傾斜係止片７が引き寄せ部８に対して摺動し、より深く挿入される（図２）。傾斜係止片７は傾斜しているので、傾斜係止片７がより深く挿入されると、傾斜係止片７が設けられている背もたれカバー４が引き寄せ部８に引き寄せられて背もたれ本体３側に移動する。そして、図３に示すように、ねじ１７の締め付けが完了すると、固定部１０が被固定部９に固定されると共に、引き寄せ部８に対して傾斜係止片７が所定位置まで挿入されることになり、背もたれカバー４は背もたれ本体３に所定の力で押し付けられる。
【００２７】
この背もたれカバー取付構造では、引き寄せ部８に対して摺動する傾斜係止片７がくさびのように作用するので、くさび（傾斜係止片７）をより深く挿入すると背もたれカバー４を背もたれ本体３側に移動させる力が発生する。このため、表皮部材やクッション材１２の周縁を挟み込んだ状態で背もたれカバー４を背もたれ本体３にしっかりと押し付けることができる。また、ねじ１７の締め付けによって傾斜係止片７を引き寄せ部８により深く挿入するので、小さな力で傾斜係止片７を挿入することができ、作業が容易である。しかも、背もたれカバー４からの反力によってねじ１７が逆回転し抜けることはないので、この点からも作業が容易である。
【００２８】
傾斜係止片７は上方に向けて開いており、引き寄せ部８に対して下から挿入するようにしている。このため、被固定部９に対し固定部１０を下から近づけて固定する構成となり、しかも固定機構６を背もたれ本体３及び背もたれカバー４の下部に配置しており、ねじ１７を下から挿入し締め付ける構成となっている。このため、ねじ１７の締め付け部分が外から見えにくくなり、椅子の美観悪化を防止することができる。
【００２９】
また、ねじ１７を締め付けるという１つの動作で、背もたれカバー４の背もたれ本体３への押し付けと固定の両方を行うことができ、作業性に優れている。
【００３０】
さらに、クッション材１２の交換等のために背もたれカバー４を取り外そうとするとき、この背もたれカバー４がねじ１７を利用して取り付けられているので、取り外しが簡単にできる。また、背もたれカバー４が爪のはめ込みのみを利用して取り付けられているような場合には、背もたれカバー４を無理に外そうとすると、爪等が破損する虞があるが、本実施形態ではねじ１７を利用しているので、取り外しの際の固定部１０の破損を防止することができる。
【００３１】
次に、本発明の患者用椅子１について説明する。この患者用椅子１は、上述した背もたれカバー取付構造によって背もたれカバー４を背もたれ本体３に取り付けたものである。また、患者用椅子１は、座１８の両脇に設けられ、利用者が座ったり立ち上がる際に手を着くことができる左右一対の支え補助部材１９と、伸縮して座１８の高さを変化させる高さ調整機構２０と、高さ調整機構２０の伸縮を操作する操作レバー２１を備え、支え補助部材１９は支柱２２とこの支柱２２の上端に設けられた掴み部２３とを有し、操作レバー２１は支え補助部材１９のいずれか一方の支柱２２の外側面２２ｃに取り付けられている。
【００３２】
患者用椅子１の脚柱２４の上端には高さ調整機構２０が設けられている。高さ調整機構２０は、例えばガススプリング（以下、ガススプリング２０という）である。このガススプリング２０は、図５に示すように、上端の突起２０ａが押し込まれていない状態では、内部の流体の移動が禁止されており、ガススプリング２０を伸縮させることができない。一方、図６に示すように、突起２０ａを押し込むと内部の流体の移動が可能となり、ガススプリング２０を伸縮させることができる。このとき、ガススプリング２０には伸びようとする方向に力が作用するので、座１８を軽く持ち上げるとガススプリング２０が伸びて座１８の高さを高くすることができる。また、座１８を低くする場合には、ガススプリング２０を縮めながら座１８を押し下げればよい。ガススプリング２０の突起２０ａには突出する方向に力が作用しており、操作していない状態では突起２０ａは突出している。ガススプリング２０の上端には座受け部材２５が取り付けられている。なお、図５及び図６では背支桿１３、座１８、支え補助部材１９、後述するフレーム３０等の記載を省略している。
【００３３】
座受け部材２５の内部にはガススプリング２０を操作するレバー２６が設けられている。レバー２６は、両端を座受け部材２５に回転自在に支持された回転シャフト２８に支持されており、先端には操作ワイヤ２９が接続されている。操作ワイヤ２９が引かれていない状態では、レバー２６は突出している突起２０ａの上に載っている。即ち、図５に示すように、レバー２６は突起２０ａによって上に持ち上げられている。この状態から操作ワイヤ２９が引かれると、図６に示すように、レバー２６は下に回転して突起２０ａを押し込み操作する。
【００３４】
座受け部材２５には、図７に示すように、椅子１の幅方向に細長いフレーム３０が固着されており、このフレーム３０の両端に支え補助部材１９の支柱２２が取り付けられている。支柱２２は途中で湾曲しており、下側は水平部２２ａになっている。この水平部２２ａをフレーム３０に取り付けている。支柱２２の垂直部２２ｂは座１８の脇を通って上方に伸びており、その上端には掴み部２３が取り付けられている。掴み部２３は椅子１の利用者が座ったり立ち上がる際に掴みやすい形状を成している。支え補助部材１９の高さは、背もたれ２よりも若干低い高さになっている。
【００３５】
左右の支え補助部材１９のいずれか一方には、操作レバー２１が取り付けられている。本実施形態では、右側の支え補助部材１９に操作レバー２１が取り付けられている。操作レバー２１は支柱２２の垂直部２２ｂの外側面２２ｃに配置されており、図８に示すように、垂直部２２ｂ内の空間３１に収容されているスライダー３２にスリット３３を通して接続されている。スライダー３２には操作ワイヤ２９が接続されている。したがって、操作レバー２１を上方にスライドさせると、スライダー３２が上昇し操作ワイヤ２９を引っ張る。これにより、レバー２６が下に回転し、ガススプリング２０の突起２０ａを押し込み操作する。一方、操作レバー２１から手を離して操作力を解除すると、操作レバー２１は自重とガススプリング２０の突起２０ａが突出する力で下に戻される。
【００３６】
操作レバー２１は垂直部２２ｂの上端近傍に配置されており、後述するように介護人が椅子１の後方から掴み部２３を掴みながら操作レバー２１を操作できるようになっている。
【００３７】
操作ワイヤ２９はチューブ３４内に通されており、他の部材と干渉することがなく操作レバー２１の操作によってスムーズにレバー２６を回転させる。チューブ３４の上端は支柱２２の垂直部２２ｂ内に設けられた取付部３５に取り付けられている。そして、チューブ３４は支柱２２の水平部２２ａに形成された溝３６を通り、フレーム３０に設けられた孔３７から座受け部材２５の底面に取り付けられたカバー２７の下方に引き回され、図示しない孔からカバー２７と座受け部材２５内に引き込まれて取付板３８に取り付けられている。
【００３８】
この患者用椅子１は、医師の診察を受ける患者や足腰の弱い老人等、座ったり立ち上がったりするのが健常者のようにスムーズにできない者や座ったり立ち上がったりする際に他人の介護が必要な者の使用に特に適している。つまり、座１８の両脇に支え補助部材１９が設けられているので、両手を支え補助部材１９について体を支えながら座ったり立ち上がったりすることができる。支え補助部材１９は通常の肘掛けとは全く異なるものである。肘掛けは座った状態で肘を載せるものであり、肘を載せやすいように比較的後側位置に設けられているが、支え補助部材１９は通常の肘掛けよりも前側位置に設けられており、椅子の利用者が座る際又は立ち上がる際に手をつきやすくなっている。また、掴み部２３は掴みやすい形状になっている。
【００３９】
また、介護人が椅子１の後方に立った状態で座１８の高さ調整をすることができる。つまり、操作レバー２１を掴み部２３の近傍に配置しているので、掴み部２３を掴みながら操作レバー２１を操作することができ、介護人が両手で左右の支え補助部材１９の掴み部２３を掴んだ状態で操作レバー２１を操作して座１８の高さ調整を行うことができる。このため、椅子１の利用者が座ろうとするときに、介護者が利用者の体格に合わせて座１８の高さ調整を行うことができる。また、介護者は腰を深く屈めることなく操作レバー２１を操作することができるので、楽な姿勢で高さ調整することができる。
【００４０】
また、操作レバー２１は支え補助部材１９の支柱２２の外側面２２ｃに設けられているので、着座者の邪魔にならず、また、着座者の体が当たって誤操作されることがなく、さらに、介護者が操作しやすい配置となっている。
【００４１】
また、背もたれ２の高さが着座者の腰部付近の高さまでしかなく、通常の椅子よりも低くなっているので、医師が患者の背中を診断するのにも都合が良い。
【００４２】
なお、上述の形態は本発明の好適な形態の一例ではあるがこれに限定されるものではなく本発明の要旨を逸脱しない範囲において種々変形実施可能である。
【００４３】
例えば、上述の説明では、押し付け機構５の傾斜係止片７を背もたれカバー４に、引き寄せ部８を背もたれ本体３にそれぞれ取り付けていたが、傾斜係止片７を背もたれ本体３に、引き寄せ部８を背もたれカバー４にそれぞれ取り付けても良い。
【００４４】
また、上述の説明では、固定機構６の被固定部９を背もたれ本体３に、固定部１０を背もたれカバー４にそれぞれ取り付けていたが、被固定部９を背もたれカバー４に、固定部１０を背もたれ本体３にそれぞれ取り付けても良い。
【００４５】
さらに、上述の説明では、傾斜係止片７と固定部１０とを同じ部材（背もたれカバー４）に、引き寄せ部８と被固定部９とを同じ部材（背もたれ本体３）にそれぞれ設けていたが、傾斜係止片７と被固定部９とを同じ部材に、引き寄せ部８と固定部１０とを同じ部材にそれぞれ設けるようにしても良い。
【００４６】
また、押し付け機構５の傾斜係止片７と引き寄せ部８の上下位置関係、および固定機構６の固定部１０と被固定部９の上下位置関係を図１〜図４に示すものと逆にしても良い。即ち、例えば図９に示すように、傾斜係止片７を上側に、引き寄せ部８を下側にそれぞれ配置すると共に、固定部１０を上側に、被固定部９を下側にそれぞれ配置し、引き寄せ部８に対して上から傾斜係止片７を挿入すると共に、被固定部９に対して固定部１０を上から近づけるようにしても良い。この場合、被固定部９に貫通孔１６を設け、固定部１０にねじ孔１５を設け、図示しないねじ１７を貫通孔１６に下から通してねじ孔１５に挿入し、このねじ１７を締め付けることで固定部１０を被固定部９に近づけるようにすることが好ましい。
【００４７】
また、上述の説明では、押し付け機構５を上に配置し、固定機構６を下に配置し、下からねじ１７をねじ込むようにしていたが、例えば押し付け機構５を下に配置し、固定機構６を上に配置し、上からねじ１７をねじ込むようにしても良く、又は押し付け機構５と固定機構６を左右に配置して横からねじ１７をねじ込むようにしても良い。
【００４８】
また、上述の説明では、固定機構６はねじ１７によって固定部１０を被固定部９に近づけて固定する構成であったが、必ずしもこの構成に限るものではなく、その他の構成でも良い。
【００４９】
また、上述の説明では、傾斜係止片７と引き寄せ部８との対、即ち押し付け機構５を２箇所に設けていたが、設ける箇所は２箇所に限るものではなく、１箇所あるいは３箇所以上でも良い。
【図面の簡単な説明】
【００５０】
【図１】本発明の椅子の背もたれカバー取付構造の実施形態の一例を示し、背もたれカバーを背もたれ本体に取り付けようとしている状態の断面図である。
【図２】図１に続く状態を示す断面図である。
【図３】図２に続く状態を示し、背もたれカバーの背もたれ本体への取り付けが完了した状態の断面図である。
【図４】本発明の椅子の背もたれカバー取付構造を適用した患者用椅子を一部切り欠いて示し、背もたれカバーを取り外した状態の背面図である。
【図５】患者用椅子の高さ調整機構を示し、高さ調整機構を操作していない状態の図である。
【図６】患者用椅子の高さ調整機構を示し、高さ調整機構を操作している状態の図である。
【図７】支え補助部材の取付構造を示す平面図である。
【図８】支え補助部材の断面図である。
【図９】本発明の椅子の背もたれカバー取付構造の他の実施形態を示す概略構成図である。
【図１０】従来の椅子の背もたれカバー取付構造を示し、支持枠に背もたれカバー及びクッション体を取り付けた様子を示す側面図である。
【図１１】従来の椅子の背もたれカバー取付構造を示し、支持枠に背もたれカバー及びクッション体を取り付けた様子を示す断面図である。
【図１２】従来の椅子の背もたれカバー取付構造を示し、支持枠に背もたれカバー及びクッション体を取り付ける前の様子を示す断面図である。
【符号の説明】
【００５１】
１  患者用椅子
３  背もたれ本体
４  背もたれカバー
５  押し付け機構
６  固定機構
７  傾斜係止片
８  引き寄せ部
９  被固定部
１０  固定部
１５  ねじ孔
１６  貫通孔
１７  ねじ
１８  座
１９  支え補助部材
２０  高さ調整機構
２１  操作レバー
２２  支柱
２３  掴み部
【図１】
2007014454.tif 000003
【図２】
2007014454.tif 000004
【図３】
2007014454.tif 000005
【図４】
2007014454.tif 000006
【図５】
2007014454.tif 000007
【図６】
2007014454.tif 000008
【図７】
2007014454.tif 000009
【図８】
2007014454.tif 000010
【図９】
2007014454.tif 000011
【図１０】
2007014454.tif 000012
【図１１】
2007014454.tif 000013
【図１２】
2007014454.tif 000014